Podtech/llm-jp-corpus-v4-ja_patent huggingface dataset:
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
モータと、
モータベアリングと、
ツール部材を回転させるための前記モータによって駆動されるモータ結合部と、
を有し、
前記モータベアリングが、前記モータ結合部によって、前記ツール部材から伝達される軸方向の力を吸収するように構成される軸方向荷重ベアリングである、モータユニット。
【請求項２】
前記モータ結合部が、前記モータベアリングに全ての軸方向の力を伝達する、請求項１記載のモータユニット。
【請求項３】
前記モータ結合部が、回転により締められる、請求項１又は２に記載のモータユニット。
【請求項４】
前記モータ結合部が、合わせ面上に傾斜した外形を有する、請求項１記載のモータユニット。
【請求項５】
前記モータ結合部が、合わせ面上に螺旋状の外形を有する、請求項１記載のモータユニット。
【請求項６】
前記モータ結合部が、磁石を有する、請求項１又は２に記載のモータユニット。
【請求項７】
モータユニットによって駆動されるツール結合部を具備するツールユニットであって、前記ツール結合部が、全ての軸方向の力を前記モータユニットに伝達する、ツールユニット。
【請求項８】
前記ツール結合部が、回転により締められる、請求項７記載のツールユニット。
【請求項９】
前記ツール結合部が、磁石を有する、請求項７記載のツールユニット。
【請求項１０】
前記ツール結合部が、合わせ面上で傾斜した外形を有する、請求項７乃至９のいずれか１項に記載のツールユニット。
【請求項１１】
請求項１乃至６のいずれか１項に記載のモータユニットと係合し、ツール駆動シャフトが、プラスチック材料で少なくとも部分的にカバーされている、請求項７乃至１０のいずれか１項に記載のツールユニット。
【請求項１２】
請求項１乃至６のいずれか１項に記載のモータユニットと係合し、半径方向荷重ベアリングが、プラスチック材料で少なくとも部分的に作られている、請求項７乃至１０のいずれか１項に記載のツールユニット。
【請求項１３】
請求項１乃至６のいずれか１項に記載のモータユニットと、請求項７乃至１２のいずれか１項に記載のツールユニットと、を有し、前記ツールユニット及び前記モータユニットが、対であるように構成される、ハンドブレンダー。
【請求項１４】
モータユニットとツールユニットとを有し、モータベアリングが、ツール部材から前記モータユニットに結合により伝達される軸方向の力を吸収するように構成される軸方向荷重ベアリングである、ハンドブレンダー。
【手続補正書】
【提出日】平成29年3月3日(2017.3.3)
【手続補正１】
【補正対象書類名】明細書
【補正対象項目名】００１６
【補正方法】変更
【補正の内容】
【００１６】
図３に、スプリング２８がデテント２６を前記星形状における谷間２２へと押圧する、調節ディスク１４の安定な位置が示されている。選択ホイール１２を回してこの調節ディスク１４を回転させるには、スパイラルスプリング２８がデテント２６を介して調節ディスク１４の外縁に加える力に対抗する力を印加する必要がある。隣り合う谷間の間にある途中位置への不用意な調節が行われた場合、調節ディスク１４は必ず不安定な位置に置かれる。図４及び図５に、途中位置の一例を示す。このような状況において前記星形状には、スパイラルスプリング２８の力の影響下にあるデテント２６が調節ディスク１４の縁を自身が前記谷間のうちの１つで静止するまで斜め方向に押圧して調節ディスク１４を回転させるという効果がある。これにより、隣り合う谷間の間にある途中位置への設定を防ぐことができる。
以下に本発明の態様を示す。
[態様１]  医療用流体搬送システムの流量を調節する調節装置（１０）であって、複数の可能流量のうちの１つを選択する選択ホイール（１２）と、前記選択ホイール（１２）に接続されており、所望の流量を調節するために設けられた調節ディスク（１４）と、前記調節ディスク（１４）の外縁と協働するデテント（２６）と、を備える、調節装置（１０）において、前記調節ディスク（１４）が、星形状を有することを特徴とする、調節装置（１０）。
[態様２]  態様１の調節装置（１０）において、前記星形状が、前記調節ディスク（１４）の径方向外縁のジグザグ形状を形成しており、当該ジグザグ形状が、山頂（２４）および谷間（２２）を含むことを特徴とする、調節装置（１０）。
[態様３]  態様２に記載の調節装置（１０）において、前記谷間（２２）のそれぞれが、前記選択ホイール（１２）及び前記調節ディスク（１４）の、各流量を調節するのに要求される回転位置のうちの１つに対応することを特徴とする、調節装置（１０）。
[態様４]  態様２または３に記載の調節装置（１０）において、前記山頂（２４）のそれぞれが、前記選択ホイール（１２）及び前記調節ディスク（１４）の、対応流量の互いに隣り合う２つの回転位置の、ちょうど間に位置した回転位置に対応することを特徴とする、調節装置（１０）。
[態様５]  態様２から４のいずれか一項に記載の調節装置（１０）において、前記ジグザグ形状の隣り合った線（１８，２０）が、互いに対して１０°〜１５５°の範囲内の角度で配置されていることを特徴とする、調節装置（１０）。
[態様６]  態様２から５のいずれか一項に記載の調節装置（１０）において、前記山頂（２４）および／または前記谷間（２２）は、それぞれ丸みが付けられていることを特徴とする、調節装置（１０）。
[態様７]  態様１から６のいずれか一項に記載の調節装置（１０）において、前記デテント（２６）は、スプリング（２８）の力に抗して、当該デテント（２６）と谷間（２２）との係合が前記調節ディスク（１４）の安定な位置を引き起こし、当該デテント（２６）と山頂（２４）との係合が前記調節ディスク（１４）の不安定な位置を引き起こすように支持されていることを特徴とする、調節装置（１０）。
[態様８]  態様１から７のいずれか一項に記載の調節装置（１０）において、前記デテント（２６）が、スパイラルスプリング（２８）における突部として形成されていることを特徴とする、調節装置（１０）。
[態様９]  態様７に記載の調節装置（１０）において、前記デテントが、スプリング（２８）に接続されたスパイクとして形成されていることを特徴とする、調節装置（１０）。
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
大環状ラクトンに対する線虫ディロフィラリア属種（Ｄｉｒｏｆｉｌａｒｉａ  ｓｐｐ．）の応答性を決定するための方法であって、線虫由来の配列番号１〜１２７のうちの１つ以上を含む、核酸分子中の多形性部位で線虫の遺伝子型を決定する工程を含む、方法。
【請求項２】
前記核酸分子が、配列番号１〜１２７のうちの１つ以上に対して少なくとも９５％の配列同一性を保有する、請求項１に記載の方法。
【請求項３】
前記核酸分子が、配列番号１〜１２７のうちの１つ以上の少なくとも１００ヌクレオチドの長さを有するフラグメントを含み、かつ前記多形性部位を含む、請求項１に記載の方法。
【請求項４】
前記核酸分子が、配列番号１〜１２７のうちの１つ以上の少なくとも５０ヌクレオチドの長さを有するフラグメントを含み、かつ前記多形性部位を含む、請求項１に記載の方法。
【請求項５】
前記核酸分子が、配列番号１〜１２７のうちの１つ以上に対して少なくとも９５％の配列同一性を保有する少なくとも１００ヌクレオチドの長さを有するフラグメントを含み、かつ前記多形性部位を含む、請求項１に記載の方法。
【請求項６】
前記多形性部位での代替的ヌクレオチドの存在によって、前記線虫が大環状ラクトンに耐性である可能性が高いことが示される、請求項１〜５のいずれか１項に記載の方法。
【請求項７】
前記線虫ディロフィラリア属種がディロフィラリア・イミティス（Ｄｉｒｏｆｉｌａｒｉａ  ｉｍｍｉｔｉｓ）である、請求項１〜６のいずれか１項に記載の方法。
【請求項８】
前記大環状ラクトンが、イベルメクチン、セラメクチン、ミルベマイシンオキシムまたはモキシデクチンを含む、請求項１〜７のいずれか１項に記載の方法。
【請求項９】
線虫から核酸分子を単離する工程を前記線虫の遺伝子型を決定する工程の前に含む、請求項１〜８のいずれか１項に記載の方法。
【請求項１０】
前記線虫の遺伝子型が、ＤＮＡシークエンシング、対立遺伝子特異的なオリゴヌクレオチドによるものを含むハイブリダイゼーションベースの方法、マイクロアレイ解析、酵素ベースの方法、一本鎖高次構造多型（ＳＳＣＰ）、高解像度融解（ＨＲＭ）、またはＰＣＲ、ＲＴ−ＰＣＲ、もしくはｑＲＴ−ＰＣＲに基づくアプローチによって決定される、請求項１〜９のいずれか１項に記載の方法。
【請求項１１】
大環状ラクトンに対する線虫ディロフィラリア属種の応答性を決定するためのキットであって：
配列番号１〜１２７のうちの１つ以上の多形性部位で線虫の遺伝子型を決定できるプローブ、
を備える、キット
【請求項１２】
前記プローブが、オリゴヌクレオチド、プライマーまたはアプタマーである、請求項１１に記載のキット。
【請求項１３】
前記線虫の遺伝子型が、ＤＮＡシークエンシング、対立遺伝子特異的なオリゴヌクレオチドによるものを含むハイブリダイゼーションベースの方法、マイクロアレイ解析、酵素ベースの方法、一本鎖高次構造多型（ＳＳＣＰ）、高解像度融解（ＨＲＭ）、またはＰＣＲ、ＲＴ−ＰＣＲ、もしくはｑＲＴ−ＰＣＲに基づくアプローチによって決定される、請求項１１または１２に記載のキット。
【請求項１４】
前記線虫ディロフィラリア属種がディロフィラリア・イミティスである、請求項１１〜１３のいずれか１項に記載のキット。
【請求項１５】
前記大環状ラクトンが、イベルメクチン、セラメクチン、ミルベマイシンオキシムまたはモキシデクチンを含む、請求項１１〜１４のいずれか１項に記載のキット。
【請求項１６】
線虫ディロフィラリア属種に感染した動物を処置するための処置を選択するための方法であって、配列番号１〜１２７のうちの１つ以上を含む核酸分子中の多形性部位で線虫の遺伝子型を決定する工程と、前記線虫の遺伝子型に基づいて処置を選択する工程とを含む、方法。
【請求項１７】
前記核酸分子が、配列番号１〜１２７のうちの１つ以上に対して少なくとも９５％の配列同一性を保有する、請求項１６に記載の方法。
【請求項１８】
前記核酸分子が、配列番号１〜１２７のうちの１つ以上の少なくとも１００ヌクレオチドの長さを有するフラグメントを含み、かつ前記多形性部位を含む、請求項１６に記載の方法。
【請求項１９】
前記核酸分子が、配列番号１〜１２７のうちの１つ以上の少なくとも５０ヌクレオチドの長さを有するフラグメントを含み、かつ前記多形性部位を含む、請求項１６に記載の方法。
【請求項２０】
前記核酸分子が、配列番号１〜１２７のうちの１つ以上に対して少なくとも９５％の配列同一性を保有する少なくとも１００ヌクレオチドの長さを有するフラグメントを含み、かつ前記多形性部位を含む、請求項１６に記載の方法。
【請求項２１】
前記線虫ディロフィラリア属種がディロフィラリア・イミティスである、請求項１６〜２０のいずれか１項に記載の方法。
【請求項２２】
線虫から核酸分子を単離する工程を前記線虫の遺伝子型を決定する工程の前に含む、請求項１６〜２０のいずれか１項に記載の方法。
【請求項２３】
前記線虫の遺伝子型が、ＤＮＡシークエンシング、対立遺伝子特異的なオリゴヌクレオチドによるものを含むハイブリダイゼーションベースの方法、マイクロアレイ解析、酵素ベースの方法、一本鎖高次構造多型（ＳＳＣＰ）、高解像度融解（ＨＲＭ）、またはＰＣＲ、ＲＴ−ＰＣＲ、もしくはｑＲＴ−ＰＣＲに基づくアプローチによって決定される、請求項１６〜２０のいずれか１項に記載の方法。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
免疫細胞集団の増殖を誘導するための方法であって、該免疫細胞の増殖を引き起こすように、該免疫細胞を、該免疫細胞上のT細胞受容体（TCR）/CD3複合体のリガンド、及び該免疫細胞上の共刺激性分子のリガンドと接触させることを含み、ここで、該リガンドは組成物内部に含まれ、該組成物は液相又は多構成相を含み、かつ該リガンドは該組成物の表面上に固定化されていない、前記方法。
【請求項２】
前記組成物が、ヒドロゲル、アルブミン、又は疎水性分子を含む、請求項1記載の方法。
【請求項３】
前記組成物が、ビーズの形態をとる、請求項1記載の方法。
【請求項４】
前記TCR/CD3複合体のリガンドが、CD3に対する抗体（抗-CD3）である、請求項2記載の方法。
【請求項５】
前記共刺激性分子のリガンドが、CD28に対する抗体；CD9に対する抗体；B7-1；B7-2；又はB7-1若しくはB7-2のCD28結合断片である、請求項2記載の方法。
【請求項６】
前記ヒドロゲルが、自己集合性ヒドロゲルである、請求項2記載の方法。
【請求項７】
前記ヒドロゲルが、ポリグルタメート鎖及びビタミンEを含む、請求項2記載の方法。
【請求項８】
前記組成物が、油、脂質、又はフッ化炭素を含み、該油、脂質、又はフッ化炭素が液体である、請求項1記載の方法。
【請求項９】
前記油、脂質、又はフッ化炭素が、前記組成物中にナノメートル大、又はマイクロメートル大の小滴の形態で存在する、請求項8記載の方法。
【請求項１０】
前記リガンドが、抗-CD3及び抗-CD28である、請求項9記載の方法。
【請求項１１】
前記組成物が、アルブミンを含む、請求項1記載の方法。
【請求項１２】
前記アルブミンが、液体疎水性分子と複合体を形成する、請求項11記載の方法。
【請求項１３】
前記疎水性分子が、油、脂質、又はフッ化炭素である、請求項12記載の方法。
【請求項１４】
前記TCR/CD3複合体のリガンド、及び/又は前記共刺激性分子のリガンドが、疎水性分子にコンジュゲートされている、請求項1記載の方法。
【請求項１５】
前記TCR/CD3複合体のリガンドが、抗-CD3抗体、又はCD28のリガンドである、請求項14記載の方法。
【請求項１６】
前記共刺激性分子のリガンドが、CD3に対する抗体；CD9に対する抗体；B7-1；B7-2；又はB7-1若しくはB7-2のCD28結合断片である、請求項14記載の方法。
【請求項１７】
前記疎水性分子が、水溶液中で自己集積し、ミセルを形成する、請求項14記載の方法。
【請求項１８】
前記免疫細胞が、T細胞である、請求項1記載の方法。
【請求項１９】
前記T細胞が、CD4＋ T細胞、CD8＋ T細胞又はTreg細胞である、請求項18記載の方法。
【請求項２０】
前記免疫細胞を、インターロイキン-2（IL-2）と又はホルボールエステルと、接触させることをさらに含む、請求項1記載の方法。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
出血創傷からの血流を止める方法に使用される固体止血平板であって、
前記固体止血平板は、近位部と遠位部とを画定すると共に、不溶性陽イオン交換物及び鉄酸塩から形成され、
前記方法は、
前記出血創傷の何れかの向きで、前記近位部を前記出血創傷に直接適用すると共に、前記止血平板の前記遠位部に圧力を印加し、
前記近位部の前記鉄酸塩により、前記創傷における血液凝固を促進し、
前記出血創傷を前記近位部の前記陽イオン交換物で封止するために、前記創傷上に保護皮膜を形成し、ここで、前記近位部から剥離した前記遠位部の前記不溶性陽イオン交換物及び前記鉄酸塩は、更なる出血及び滲出に対する持続的且つ長期的な保護のための貯留部を形成する
ことを含む、固体止血平板。
【請求項２】
出血創傷に直接適用されるように構成された止血器具であって、
近位部と遠位部とを画定する固体止血平板を含み、
前記近位部が前記出血創傷に直接適用されると共に、前記遠位部に圧力が印加され、
前記近位部が、前記出血創傷における血液凝固を促進することにより、前記創傷上に、前記出血創傷を封止するための保護封止を形成し；
前記遠位部が前記近位部から剥離し、更なる出血及び滲出に対する持続的且つ長期的な保護のための貯留部を形成する、止血器具。
【請求項３】
前記固体止血平板の一表面に接着されてこれを被覆する補強裏張層を更に含む、請求項２に記載の止血器具。
【請求項４】
出血創傷に直接適用されるように構成された止血器具であって、
近位部と遠位部とを画定する固体止血平板を含み、
前記止血平板は不溶性陽イオン交換物及び鉄酸塩から形成され、
前記出血創傷の何れかの向きで、前記近位部が前記出血創傷に直接適用されると共に、前記止血平板の前記遠位部に圧力が印可され、
前記近位部の前記鉄酸塩が、前記創傷における血液凝固を促進すると共に、前記近位部の前記陽イオン交換物が、前記出血創傷を封止するための保護皮膜を前記創傷上に形成し、
前記近位部から剥離した前記遠位部の前記不溶性陽イオン交換物及び前記鉄酸塩が、更なる出血及び滲出に対する持続的且つ長期的な保護のための貯留部を形成する、止血器具。
【請求項５】
創傷におけるカテーテルの存在により生じるカテーテル創傷からの出血を防止する止血器具であって、
近位部と遠位部とを画定する固体止血平板を含み、
前記止血平板は不溶性陽イオン交換物及び鉄酸塩から形成され；
前記平板が、二つの分離した半片を有し、これらが嵌合端部に沿って嵌合すると、カテーテルを受容するためのカテーテルアクセス穴を画定し、
前記近位部が、カテーテル創傷において血液凝固を促進することにより、前記カテーテル創傷の出血を封止するための保護皮膜をカテーテル創傷上に形成し、
前記近位部から剥離した前記遠位部が、前記カテーテル創傷の更なる出血及び滲出に対する持続的且つ長期的な保護のための貯留部を形成する、止血器具。
【請求項６】
出血創傷に直接適用されるように構成された止血器具であって、
皮膚接触表面と遠位側とを画定する固体止血平板を含み、ここで前記止血平板は、不溶性陽イオン交換物及び無水鉄酸塩の粉末を圧縮して形成され、
圧縮に先立ち、前記不溶性陽イオン交換物はビーズからなり、前記ビーズの少なくとも４０％は破砕されてなり、
前記皮膚接触表面が前記出血創傷に直接適用されると共に、前記遠位側に圧力が印加されることにより、前記皮膚接触表面が止血を促進すると共に、前記出血創傷上に保護封止を形成し、
前記封止の形成後、前記平板の未使用部が前記封止から分離し、更なる出血及び滲出に対する持続的且つ長期的な保護のための貯留部を形成する、止血器具。
【請求項７】
出血創傷からの血流を止める方法に使用される固体止血平板であって、
前記固体止血平板は、皮膚接触表面及び遠位側を有すると共に、不溶性陽イオン交換物及び鉄酸塩から形成され、
前記方法は、
前記皮膚接触表面を前記出血創傷に直接適用すると共に、前記平板の遠位側に圧力を印加することにより、前記皮膚接触表面が血液凝固を促進すると共に、前記出血創傷上に保護封止を形成し、
前記封止の形成後、前記平板の未使用部が前記封止から分離し、更なる出血及び滲出に対する持続的且つ長期的な保護のための貯留部を形成する
ことを含む、固体止血平板。
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
医療電極であって、
プレート要素と前記プレート要素に形成される突起とを含む導電性金属基部と、
前記導電性金属基部とは別の導電性支持部シリンダとを有し、
前記導電性支持部シリンダが、前記導電性金属基部に対して取り付けられ、前記導電性金属基部と電気的連通状態のまま前記導電性金属基部に対して回転可能である、医療電極。
【請求項２】
リセスが、前記突起及び前記導電性支持部シリンダの下端の１つに形成され、前記突起及び前記導電性支持部シリンダの下端の他の１つは、前記リセスへと取り付けられ、前記リセスに対して回転可能である、請求項１に記載の医療電極。
【請求項３】
リセスが、前記突起に形成され、前記導電性支持部シリンダの下端は、前記リセスへと取り付けられ、前記リセスに対して回転可能である、請求項１に記載の医療電極。
【請求項４】
導電性ベアリングが、前記リセスにおいて配置され、前記導電性支持部シリンダの下端は、前記導電性ベアリングに取り付けられる、請求項３に記載の医療電極。
【請求項５】
前記導電性支持部シリンダの長手軸に沿って延在し、外へ放射状に突設する複数の導電性及び弾性的ストリップが、前記導電性支持部シリンダの下端の円周表面上に配置され、前記導電性支持部シリンダの下端は、前記リセスに挿入される、請求項３に記載の医療電極。
【請求項６】
前記複数の導電性及び弾性的ストリップが、前記導電性支持部シリンダの下端の円周表面に均一に分散される、請求項５に記載の医療電極。
【請求項７】
球形ヘッドが、前記導電性支持部シリンダの下端に形成され、対応する球面リセスは、前記突起に形成され、前記球形ヘッドが、自在継手ナックルを形成するよう前記球面リセスにおいて受けられる、請求項３に記載の医療電極。
【請求項８】
前記導電性金属基部が、第１の半分部分及び第２の半分部分を有する、請求項７に記載の医療電極。
【請求項９】
フランジが、前記導電性支持部シリンダの外側表面に形成され、導電性ばねは、前記フランジ及び前記突起の間に配置され、内側フランジを持つナットが、前記導電性金属基部に対して前記導電性支持部シリンダを取り付けるために前記突起にねじ留めされる、請求項３に記載の医療電極。
【請求項１０】
前記プレート要素の下部の表面に適用される電解質ゲルを更に有する、請求項１に記載の医療電極。
【請求項１１】
前記導電性支持部シリンダが、ケーブルを受けるため、長手軸に対して横方向に貫通孔を有する、請求項１に記載の医療電極。
【請求項１２】
前記導電性支持部シリンダが、長手軸に沿って形成され、前記貫通孔と連通するネジ孔を更に有する、請求項１１に記載の医療電極。
【請求項１３】
ＥＣＧデバイスに関する肢クランプであって、
第１のクランプ部分と、
第２のクランプ部分と、
前記第１のクランプ部分及び前記第２のクランプ部分を接続するバネ要素と、
前記第１のクランプ部分に取り付けられる請求項１乃至１２の任意の１項に記載の医療電極とを有する、肢クランプ。
【請求項１４】
外側スレッドが、前記突起の外側表面に形成され、前記突起が、前記第１のクランプ部分に形成される貫通孔を通り、ナットが、前記外側スレッドにねじ留めされ、前記医療電極が、前記第１のクランプ部分に取り付けられる、請求項１３に記載のＥＣＧデバイスに関する肢クランプ。
【請求項１５】
前記医療電極が請求項９に記載の医療電極であるとき、前記医療電極を前記第１のクランプ部分に取り付けるための前記ナット及び前記導電性金属基部に対して前記導電性支持部シリンダを取り付けるための前記ナットが、同じナットである、請求項１４に記載のＥＣＧデバイスに関する肢クランプ。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
移動式の前眼部及び後眼部検眼のためのモジュール式レンズアダプタシステムであって、
（ａ）強度可変光源と、
（ｂ）目の前記後眼部を撮像するための検眼レンズアダプタであって、
前記検眼レンズアダプタは、第１端部及び第２端部を有するテレスコーピングアームを備えており、前記第１端部において前記テレスコーピングアームは、検眼レンズを取り外し可能に取り付けるように構成されたレンズマウントを備えており、前記第２端部において前記テレスコーピングアームは、移動式撮像装置を取り外し可能に取り付けるように構成された移動式撮像装置のマウントを備えており、
前記テレスコーピングアームは、前記移動式撮像装置の前記レンズに関して様々な距離にて前記検眼レンズが位置するために位置合わせ可能であり、
前記検眼レンズアダプタは、前記検眼レンズが前記移動式撮像装置の前記レンズと一緒に同軸上に整列されるように構成されており、及び、
前記強度可変光源は、前記検眼レンズ及び前記移動式撮像装置の前記レンズと一緒に同軸上に整列されるように構成されている、前記検眼レンズアダプタと、
（ｃ）前記目の前記前眼部を撮像するためのマクロレンズを取り付けるように構成されたレンズマウントを備えるマクロレンズアダプタであって、前記マクロレンズアダプタは、前記移動式撮像装置に取り外し可能に適合するように構成されており、前記強度可変光源は、前記マクロレンズと一緒に同軸上に整列されるように構成されており、前記マクロレンズアダプタは、前記マクロレンズが前記移動式撮像装置の前記レンズと一緒に同軸上に整列されるように構成されている、前記マクロレンズアダプタと、を備える、
システム。
【請求項２】
請求項１に示すシステムであって、前記検眼レンズアダプタは、前記移動式撮像装置のマウントと前記検眼レンズとの間の包まれていない光路を有する。
【請求項３】
請求項１に示すシステムであって、前記検眼レンズアダプタは、反射ミラーを有していない。
【請求項４】
請求項１に示すシステムであって、前記強度可変光源及び前記マクロレンズアダプタは、１つの構成されたアダプタとして実装されている。
【請求項５】
請求項１に示すシステムであって、前記強度可変光源は、外部の強度可変ＬＥＤアダプタであり、前記移動式撮像装置に取り外し可能に適合されている。
【請求項６】
請求項１に示すシステムであって、前記強度可変光源は、前記移動式撮像装置に備え付けの強度可変ＬＥＤである。
【請求項７】
請求項１に示すシステムであって、前記テレスコーピングアームは、前記携帯電話のマウントから、１ｃｍから２０ｃｍの範囲内に、前記レンズマウントを配置できる。
【請求項８】
請求項１に示すシステムであって、前記検眼レンズアダプタは、前記検眼レンズを保持せずに、１００グラム未満である。
【請求項９】
請求項１に示すシステムであって、前記マクロレンズアダプタの前記レンズマウントは、前記移動式撮像装置の前記レンズに可能な限り近くでフィットするように構成されている。
【請求項１０】
請求項１に示すシステムであって、前記検眼レンズアダプタの前記レンズマウントは、スペースを最小化するために、並列に折り畳まれて、前記テレスコーピングアームと同一平面にすることが可能である。
【請求項１１】
請求項１に示すシステムであって、前記検眼レンズアダプタは、衣服のポケットに収納され得るように、サイズにおいて最小化されることが可能である。
【請求項１２】
請求項１に示すシステムであって、前記目の虹彩角膜角の撮像のための隅角鏡レンズを取り外し可能に取り付けるように構成されたレンズマウントを有する隅角鏡レンズアダプタを更に備え、前記隅角鏡レンズアダプタは、前記移動式撮像装置に取り外し可能に当て嵌められるように構成されており、前記強度可変光源は、前記隅角鏡レンズと一緒に同軸上に整列されるように構成されており、前記隅角鏡レンズアダプタは、前記移動式撮像装置の前記レンズと一緒に同軸上に整列されるように構成されている。
【請求項１３】
請求項１に示すシステムであって、前記マクロレンズアダプタは、前記目の虹彩角膜角の撮像のための隅角鏡レンズを取り付けるように構成されている。
【請求項１４】
請求項１に示すシステムであって、前記マクロレンズアダプタと前記検眼レンズアダプタが分離されている。
【請求項１５】
請求項１に示すシステムであって、前記検眼レンズアダプタの前記レンズマウントは、前記テレスコーピングアームに対して折り畳み可能である。
【請求項１６】
請求項１に示すシステムであって、前記強度可変光源からの光をフィルタするために構成された、前記前眼レンズアダプタのための光フィルタを備える。
【請求項１７】
請求項１６に示すシステムであって、前記光フィルタは青色フィルタである。
【請求項１８】
請求項１に示すシステムであって、前記移動式撮像装置は、電話、スマートフォン、又はタブレットコンピューティング装置である。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
解剖学的部位のエラストグラフィ測定結果を供給するための超音波エラストグラフィシステムであって、前記システムは、
超音波イメージング及び剪断波エラストグラフィをもたらすように構成される、超音波画像収集プローブと、
前記超音波画像収集プローブを制御し、前記解剖学的部位の超音波画像をもたらすように構成される、超音波信号及び画像処理アセンブリと、
ユーザが、前記超音波画像内において関心領域を規定することを可能にし、前記関心領域においてエラストグラフィ測定が実行され得る、ユーザ入力デバイスと
を有し、
前記超音波信号及び画像処理アセンブリは、前記超音波画像内において、前記ユーザに対する、前記関心領域の剪断波エラストグラフィのための適合性を視覚化し、及び／又は前記ユーザに対して、剪断波エラストグラフィを実行するための、エラストグラフィ収集平面を推奨するように更に構成され、
前記超音波信号及び画像処理アセンブリは、参照画像において決定される、少なくとも一つの推奨特徴を、前記超音波画像上に重畳するように、及び／又は前記参照画像において決定される、少なくとも一つの推奨特徴に基づいて、前記ユーザに対して前記エラストグラフィ収集平面を推奨するように更に構成され、
前記超音波信号及び画像処理アセンブリは、前記参照画像における領域をセグメント化することによって前記少なくとも一つの推奨特徴を生成するように更に構成される、
超音波エラストグラフィシステム。
【請求項２】
前記超音波信号及び画像処理アセンブリは、参照画像において少なくとも一つの脈管をセグメント化することによって、前記少なくとも一つの推奨特徴を生成するように更に構成される、請求項１に記載のシステム。
【請求項３】
前記超音波信号及び画像処理アセンブリは、参照画像において同質組織領域を検出し、セグメント化することによって、前記少なくとも一つの推奨特徴を生成するように更に構成される、請求項１に記載のシステム。
【請求項４】
前記超音波信号及び画像処理アセンブリは、参照画像において病変領域を検出することによって、前記少なくとも一つの推奨特徴を生成するように更に構成され、前記病変領域及び前記病変領域を囲むマージン領域が、前記推奨特徴として生成される、請求項１に記載のシステム。
【請求項５】
前記超音波画像は、二次元B-モード超音波画像である、請求項１に記載のシステム。
【請求項６】
前記参照画像は、二次元B-モード超音波画像である、請求項１に記載のシステム。
【請求項７】
前記参照画像は、前記解剖学的部位の三次元画像である、請求項１に記載のシステム。
【請求項８】
前記参照画像は、超音波画像収集と異なるモダリティを介して収集される三次元画像であり、前記参照画像は、前記超音波信号及び画像処理アセンブリのメモリユニットに記憶される、請求項１に記載のシステム。
【請求項９】
前記超音波画像収集プローブ並びに前記超音波信号及び画像処理アセンブリは、ユーザが、前記解剖学的部位の前記三次元超音波画像を収集することを可能にするように更に構成される、請求項７に記載のシステム。
【請求項１０】
前記超音波信号及び画像処理アセンブリは、画像処理を介して、前記少なくとも一つの推奨特徴及び前記超音波画像をレジストレーション化するように更に構成される、請求項１に記載のシステム。
【請求項１１】
前記システムは、前記超音波画像収集プローブの位置及び方位をトラッキングし、前記超音波画像に前記少なくとも一つの推奨特徴をレジストレーション化することをサポートするトラッキングデバイスを更に有する、請求項１０に記載のシステム。
【請求項１２】
前記ユーザ入力デバイスは、前記ユーザに対する、剪断波エラストグラフィを実行するためのエラストグラフィ収集平面の前記推奨及び／又は前記超音波画像内における関心領域の剪断波エラストグラフィのための前記適合性の前記視覚化を、前記ユーザがオン及びオフにトグルすることを可能にするように更に構成される、請求項１に記載のシステム。
【請求項１３】
超音波エラストグラフィシステムで解剖学的部位を検査するための超音波エラストグラフィ方法であって、前記方法は、
前記解剖学的部位の参照画像を収集するステップと、
前記参照画像における関心領域の剪断波エラストグラフィのための適合性を表す、少なくとも一つの推奨特徴を決定するステップと、
前記超音波エラストグラフィシステムで収集される超音波画像内において、ユーザに対する、関心領域の剪断波エラストグラフィのための適合性を視覚化するステップと、
前記ユーザに対して、剪断波エラストグラフィを実行するためのエラストグラフィ収集平面を推奨するステップと、
前記参照画像において決定される、前記少なくとも一つの推奨特徴を、前記超音波画像上に重畳し、及び／又は前記参照画像において決定される、前記少なくとも一つの推奨特徴に基づいて、前記ユーザに対して前記エラストグラフィ収集平面を推奨するステップと、
前記参照画像における領域をセグメント化することによって前記少なくとも一つの推奨特徴を生成するステップと
を有する、方法。
【請求項１４】
コンピュータ上で実行されるとき、請求項１３に記載の方法のステップを前記コンピュータに実行させるためのプログラムコード手段を有するコンピュータプログラム。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
ディスプレイと、イメージングプローブと、前記プローブを介して収集される超音波画像を前記ディスプレイ上に表すように構成されるビューレンダリングモジュールとを有するデバイスのための双方向視覚ガイダンスツールであって、前記ツールは、視野の妨害物に関するユーザナビゲーションのために構成され、前記ツールは、
前記妨害物を検出し、空間的に規定するように構成される妨害物モジュールと、
前記妨害物モジュールによる前記空間的規定を視覚的に表すインディシアムを、前記ディスプレイ上における共同視覚化のための前記超音波画像に、一体化するように構成される境界トラッキングプロセッサと
を有し、
前記ツールは、前記妨害物に対して前記視野の動きによりダイナミックに前記インディシアムを動かすように構成される、双方向視覚ガイダンスツール。
【請求項２】
前記画像を導出するために、前記プローブを介して、フォーカシング遅延がもたらされる画像データを受信するための複数のイメージングチャネルを更に有し、前記妨害物モジュールは、もたらされている前記遅延を伴う前記複数のチャネル上で受信される前記データの間の類似性の測定規準を計算するように更に構成され、前記規定は前記測定規準に基づいている、請求項１に記載のツール。
【請求項３】
前記測定規準は、異なるアパーチャのビーム和データの間の相関を表し、前記複数のチャネルは、前記アパーチャの間で分割される、請求項２に記載のツール。
【請求項４】
前記アパーチャは、インタリービング相補形アパーチャである、請求項３に記載のツール。
【請求項５】
前記チャネルは、前記アパーチャの間でランダムに分割される、請求項４に記載のツール。
【請求項６】
前記妨害物モジュールは、各々の方向における超音波ビームがブロックされるかを決定するように更に構成され、前記規定は、前記決定の結果に基づいている、請求項１に記載のツール。
【請求項７】
前記画像を導出するために、前記プローブを介して画像データを受信するための複数のイメージングチャネルを更に有し、前記妨害物モジュールは、前記複数のチャネル上で受信される前記データのコヒーレンスの測定規準を計算するように更に構成され、前記方向の間からの方向のための前記決定は、前記方向における位置のための前記測定規準に基づいている、請求項６に記載のツール。
【請求項８】
前記方向の間からの方向における前記決定は、前記測定規準が計算された、前記方向において、前記測定規準は、少なくとも一つの所定の数の位置に対して、所定のレベルのコヒーレンスを示すかに基づいている、請求項７に記載のツール。
【請求項９】
前記視野は、前記プローブにおけるVの点を備えるＶ字形である、請求項１に記載のツール。
【請求項１０】
前記インディシアムは、線分のように形成される、請求項１に記載のツール。
【請求項１１】
前記プロセッサは、前記ディスプレイ上において共同視覚化のための前記超音波画像に、前記規定を視覚的に表す第二のインディシアムを一体化するように更に構成され、前記ツールは、前記妨害物に対して前記視野の動きによりダイナミックに前記第二のインディシアムを動かすように更に構成され、前記インディシアは共同でＶ字形である、請求項１０に記載のツール。
【請求項１２】
前記インディシアムは、前記妨害物の空間境界を表す、請求項１０に記載のツール。
【請求項１３】
前記一体化は、前記画像に対して、前記インディシアムとして色を加える、請求項１に記載のツール。
【請求項１４】
前記画像は、円の扇形のように形成される、請求項１に記載のツール。
【請求項１５】
前記プローブはマトリックスプローブであり、前記視野は三次元であり、前記プロセッサは、同じプローブ位置に関して、他のインディシアムを、前記ディスプレイ上における共同視覚化のための他の画像と一体化し、前記他の画像は、前記超音波画像と異なるイメージング平面を表示し、前記ツールは、前記異なるイメージング平野における妨害物に対して、前記視野の動きにより、前記他のインディシアムをダイナミックに動かすように更に構成される、請求項１に記載のツール。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
心臓の心房に配置されるように構成された心房端部と、対向する心室端部と、を有する外側フレームアセンブリと、
前記外側フレーム内に配置されかつ前記外側フレームに結合された内側弁アセンブリであって、前記内側弁アセンブリ及び前記外側フレームアセンブリは、前記内側弁アセンブリ及び前記外側フレームアセンブリの間に環状領域を規定し、前記内側弁アセンブリ及び前記外側フレームアセンブリは、前記環状領域を通る前記内側弁アセンブリ及び前記外側フレームアセンブリの間の血流を実質的に防止するように構成されている、内側弁アセンブリと、
前記外側フレームアセンブリと前記内側弁アセンブリとの間に結合されかつ前記外側フレームアセンブリと前記内側弁アセンブリと前記環状空間の一部分を囲み、血栓保持ポケットを形成するポケットクロージャであって、前記ポケットクロージャの少なくとも一部は、赤血球が前記ポケットクロージャを通って前記ポケットに入ることができる程十分に大きくかつ前記赤血球から形成された血栓が前記ポケットから前記ポケットクロージャを通過することができない程十分に小さい空隙率を有する材料で形成される、ポケットクロージャと、を備える人工心臓弁。
【請求項２】
前記内側弁アセンブリが、
内側フレームと、
前記内側フレームの前記周辺に配置され、部分的に前記環状領域を規定し、かつ、実質的に血液不透過性の材料で形成されたカバーと、
前記内側フレームに支持された弁尖アセンブリと、を含み、
前記外側弁アセンブリが、
外側フレームと、
前記外側フレームの前記内周に配置され、部分的に前記環状領域を規定し、かつ、実質的に血液不透過性の材料で形成された内側カバーと、を含み、
前記内側フレームの前記カバーは、前記外側フレームの前記内側カバーに結合されて、前記ポケットカバーに対向する前記環状領域の前記心室端部を閉鎖する、請求項１に記載の人工心臓弁。
【請求項３】
前記内側弁アセンブリが、複数のアーチで形成された周辺を有する心房端部を含み、及び、前記ポケットクロージャは、上端部の周辺に沿って結合される、請求項１に記載の人工心臓弁。
【請求項４】
前記外側フレームアセンブリが、前記心房端部と前記心室端部との間に輪部分を有し、前記輪部分は、房室弁輪に収まるようなサイズにされた外周を有し、前記外側フレームアセンブリの前記心房端部は、内側部分の前記外周よりも実質的に大きい外周を有し、前記心房端部及び前記輪部分はそれぞれＤ字形状の横断面を有する、請求項１に記載の人工心臓弁。
【請求項５】
前記ポケットクロージャが、少なくとも部分的に、細孔径が約１６０μ未満の材料から形成される、請求項１に記載の人工心臓弁。
【請求項６】
前記ポケットクロージャが、少なくとも部分的に、細孔径が約９０μ〜約１２０μの材料から形成される、請求項５に記載の人工心臓弁。
【請求項７】
前記ポケットクロージャが、少なくとも部分的に、織り材料、編み材料又は不織材料のうちの１つである材料で形成される、請求項１に記載の人工心臓弁。
【請求項８】
心房部分と、心室部分と、前記心房部分及び前記心室部分の間の輪部分と、を有する外側フレームアセンブリであって、砂時計の形状を有する外側フレームアセンブリと、
心房端部及び心室端部を有する内側フレームを含む内側弁アセンブリであって、
前記内側フレームアセンブリは前記内側フレームの前記心室端部と前記外側フレームアセンブリの前記心室部分との間の接続部によって前記外側フレームアセンブリに結合され、
前記内側フレームアセンブリは前記接続部から前記外側フレームアセンブリの前記心房部分の方へ向かって延在する、内側弁アセンブリと、を備える人工心臓弁であって、
前記内側フレームアセンブリ及び前記外側フレームアセンブリは前記接続部から前記外側フレームアセンブリの前記心房部分の方へ向かって発散し、
前記外側フレームアセンブリの前記輪部分は、前記内側弁アセンブリから半径方向に離間され、かつ、前記内側弁アセンブリの方へ向かって半径方向内側に撓むことができ、前記輪部分において、前記輪部分の前記最小外周よりも小さい外周を有する生体弁輪に適合する、人工心臓弁。
【請求項９】
前記外側フレームアセンブリの前記心房部分及び前記輪部分のそれぞれがＤ字形状の横断面を有する、請求項８に記載の人工心臓弁。
【請求項１０】
前記内側フレームが形状記憶エキスパンドメタルで形成されている、請求項８に記載の人工心臓弁。
【請求項１１】
前記外側フレームが、形状記憶エキスパンドメタルで形成されている、請求項８に記載の人工心臓弁。
【請求項１２】
前記外側フレームアセンブリは砂時計の形状を有する、請求項１に記載の人工心臓弁。
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
患者の内部温度を制御するための装置であって、
−患者の外部で流体回路を形成するための少なくとも１つのカテーテルと；
−前記カテーテルと関連付けられ、前記流体回路および前記患者を通して流体を圧送するためのポンプと；
−前記流体回路が通って流れ、前記流体の温度に影響を及ぼすための熱交換器と；
−前記患者の臓器温度を推定し、推定された臓器温度に基づいて、前記熱交換器に供給される電力を制御するよう構成されるコントローラとを含み、前記臓器温度は、前記臓器の温度およびある数の入力パラメータのパラメトリック相関関数を含むモデルによって推定され、前記パラメトリック相関関数は、前記相関関数のパラメータの較正を含み、前記患者以外の哺乳動物上で得られた、患者の内部温度を制御するための装置。
【請求項２】
前記患者の複数の身体部分の温度を測定するための少なくとも２つの温度センサを含み、前記コントローラは、前記少なくとも２つの温度センサの温度および時間ｔより以前に前記熱交換器に供給された電力を含む入力パラメータを測定することによって、前記臓器温度を推定するよう構成される、請求項１に記載の装置。
【請求項３】
前記患者の身体上の複数の位置上の前記患者の温度を測定するための少なくとも２つの
温度センサと、前記流体の流量を測定するための手段と、前記患者に出入りする際の前記流体の温度を測定するための手段とを含み、前記コントローラは、前記少なくとも２つの温度センサの温度、前記患者内への流体流量、および前記患者に出入りする流体温度を含む入力パラメータを測定することによって、前記臓器温度を推定するよう構成される、請求項１または請求項２に記載の装置。
【請求項４】
前記患者の身体上の複数の位置上の前記患者の温度を測定するための少なくとも２つの温度センサを含み、前記コントローラは、時間０における前記少なくとも２つの温度センサの温度および時間０における推定された臓器温度を含む入力パラメータを測定することによって、前記臓器温度を推定するよう構成される、請求項１〜請求項３のいずれか１つに記載の装置。
【請求項５】
前記熱交換器はヒータおよび／または冷却器である、請求項１〜請求項４のいずれか１つに記載の装置。
【請求項６】
前記少なくとも２つの温度センサは、膀胱、皮膚、左鼓室、右鼓室、肛門、肺動脈、大腿静脈、および／または食道の位置の１つに置かれるよう構成される、請求項１〜請求項５のいずれか１つに記載の装置。
【請求項７】
前記コントローラは、前記温度センサからの信号に基づいて前記患者の臓器温度を推定し、推定された臓器温度が、上側しきい値臓器温度より下および／または下側しきい値臓器温度より上にとどまるように、前記熱交換器への前記電力供給を制御するよう構成される、請求項１〜請求項６のいずれかに記載の装置。
【請求項８】
前記コントローラは前記温度を同時に測定するよう構成される、請求項１〜請求項７のいずれか１つに記載の装置。
【請求項９】
前記入力パラメータは前記患者の身体質量を含む、請求項１〜請求項８のいずれか１つに記載の装置。
【請求項１０】
前記熱交換器への前記電力供給を時間ｔで中断し、時間ｔの後の今後の臓器温度を、時間ｔより以前に前記熱交換器に供給された電力から推定するよう構成される、請求項１〜請求項９のいずれか１つに記載の装置。
【請求項１１】
前記コントローラは、各入力パラメータについて時間ｔで臓器温度を導出し、すべての入力パラメータについての導出された臓器温度の算術平均をとって、推定される臓器温度を得ることにより、時間ｔにおける臓器温度を推定する、請求項１〜請求項１０のいずれか１つに記載の装置。
【請求項１２】
前記算術平均は、測定された各温度について導出された臓器温度の最高値および最低値を含まない、請求項１１に記載の装置。
【請求項１３】
１つの温度センサ「ｉ」のためのパラメトリック相関関数は、
【数１】
2016523141.tif 000001
によって与えられ、式中、
Ｔorgan（ｔ）＝時間ｔにおける臓器温度；
Ｃi＝センサ「ｉ」に対するパラメータ定数（℃）；
ｆskin＝パラメータ定数（−）；
Ｔskin＝測定された皮膚温度（℃）；
ｆi＝ｉ番目の温度センサに対するパラメータ定数（−）；
Ｔisensor＝ｉ番目の温度センサの測定された温度（℃）；
Ｍ＝前記患者の身体質量（ｋｇ）；
Σｆj．Ｐ（Δｔj）＝各ｊ番目の時間間隔についてのパラメータ定数ｆjで、時間ｔより以前において時間間隔Δｔj＝ｔj−ｔj-1における前記熱交換器の熱出力の重み付けされた和である、請求項１〜請求項１２のいずれか１つに記載の装置。
【請求項１４】
１つの温度センサ「ｉ」のためのパラメトリック相関関数は、
【数２】
2016523141.tif 000002
によって与えられ、式中、
Ｔorgan（ｔ）＝時間ｔにおける臓器温度；
Ｃi＝センサ「ｉ」に対するパラメータ定数（℃）；
ｆi＝ｉ番目の温度センサに対するパラメータ定数（−）；
Ｔisensor＝ｉ番目の温度センサの測定された温度（℃）；
Ｍ＝前記患者の身体質量（ｋｇ）；
∫ｆj．Ｑ（ｔ）．（Ｔfin−Ｔfout）ｄｔ＝各ｊ番目の時間間隔についてのパラメータ定数ｆjで、時間ｔより以前において時間間隔Δｔj＝ｔj−ｔj-1における、流量Ｑ（ｍ3／ｓｅｃ）と、身体に入るときの流体の測定された温度Ｔfin（℃）と身体を出るときの流体の測定された温度Ｔfout（℃）との間の温度差との積の、ｔjからｔj-1までの積分である、請求項１〜請求項１３のいずれか１つに記載の装置。
【請求項１５】
１つの温度センサ「ｉ」のためのパラメトリック相関関数は、
【数３】
2016523141.tif 000003
によって与えられ、式中、
Ｔorgan（ｔ）＝時間ｔにおける臓器温度；
Ｃi＝センサ「ｉ」に対するパラメータ定数（℃）；
Ｔestimate（０）＝時間０における推定された臓器温度；
ｆi＝ｉ番目の温度センサに対するパラメータ定数（−）；
Ｔisensor＝ｉ番目の温度センサの測定された温度（℃）；
Ｔi0sensor＝時間０におけるｉ番目の温度センサの測定された温度（℃）；
Ｍ＝前記患者の身体質量（ｋｇ）；
Σｆj．Ｐ（Δｔj）＝各ｊ番目の時間間隔についてのパラメータ定数ｆjで、時間ｔより以前において時間間隔Δｔj＝ｔj−ｔj-1における前記熱交換器の熱出力の重み付けされた和である、請求項１〜請求項１４のいずれか１つに記載の装置。
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
所定のサイト（１０）における処方箋に従った医薬調剤の安全な製作方法であって、
少なくともいわゆる処理ビデオストリーム（ＦＶ１、ＦＶ２）を用いる動的なグラフィックインタフェース（２１、２７）を用いて調剤を少なくともリアルタイムで監視し、
調剤の成分を識別するためにデジタル処理によって一度検出された前記処方箋に関する情報の表示部（２４）を有する調剤サイト（１０）で製品（２２、２３、２４）を見ることができ、
前記調剤のステップのデータと前記処方箋のステップの記憶されているデータとを比較し（Ｅ２、Ｅ４、Ｅ５）、
前記調剤および前記処方箋のステップのデータ間に不適合が検出された場合には警告（２６）を引き起こし、
前記調剤および前記処方箋のステップのデータが適合している場合には前記調剤を有効にする（Ｅ２）、
ことを特徴とする安全な製作方法。
【請求項２】
前記処方箋に関する前記情報は、好ましくは、前記処方箋による利用可能なバイアルのリストおよび、それらのそれぞれから採取された成分の量の放出に用いられたバイアルのリストから選択され、配送パッケージに注入された量、および／または失われている量の放出の表示部（Ｅ５）、および警告表示部（２６）もまた提供されることを特徴とする請求項１に記載の安全な製作方法。
【請求項３】
いわゆる処理ビデオストリーム（ＦＶ１）の１つは、ステップでの検証（Ｅ２）、詳細には調剤の重要ステップでの検証のために被写体の解析データ（Ｅ４、Ｅ５）に焦点が当てられ、およびいわゆるシーン第２ビデオストリーム（ＦＶ２）は、前記サイト（１０）で実行されるアクションの全景および前記被写体の位置に焦点が当てられることを特徴とする請求項１または２に記載の安全な製作方法。
【請求項４】
検出は、形状および特徴認識を用いて第１ビデオストリーム（ＦＶ１）を処理することによってシリンジ（２３）の自動識別に拡張されることを特徴とする請求項１から３のいずれか一項に記載の安全な製作方法。
【請求項５】
前記処理ビデオストリーム（ＦＶ１）は二重並列ストリームを構成し、各ストリームは大きさの範囲が実質的に異なる被写体（２２、２３、２４）を検出するように調整されていることを特徴とする請求項１から４のいずれか一項に記載の安全な製作方法。
【請求項６】
医薬調剤の安全な製作のためのバイアルおよびシリンジのような複数の被写体を撮影する装置であって、
相互に対向して配置された少なくとも一対の撮影装置（４３、４４）と、
前記撮影装置の各自のための反射素子（４７、４８）であって、２つの撮影装置によって規定される軸に沿って前記２つの撮影装置の間に配置されている同一の一対の装置からなる２つの反射素子を有して、医薬調剤製作領域の像が適合している装置の方へ反射されるように各自が方向付けられている反射素子と、
を備えることを特徴とする装置。
【請求項７】
前記同一の一対の装置からなる２つの装置によってカバーされる２つの領域は同一であり、前記撮影装置（４３、４４）は前記医薬調剤製作領域に存在する大きさの異なる被写体に焦点を合わせることができる異なるズームレンズを有することを特徴とする請求項６に記載の装置。
【請求項８】
前記２つの反射素子（４７、４８）は、共通端部によって相互に関連している平面から構成されることを特徴とする請求項６または７に記載の装置。
【請求項９】
その２つの平面は、三角形の断面を有するプリズムの２つの隣接した面によって形成されていることを特徴とする請求項８に記載の装置。
【請求項１０】
医薬調剤の製作に用いられる被写体を位置決めするための台を取り付けるための手段（５８）を備えることを特徴とする請求項６から９のいずれか一項に記載の装置。
【請求項１１】
請求項１から５までのいずれか一項に記載の方法を実施するように構成された所定のサイト（１０）における医薬調剤のための信頼できる撮像システムであって、
成分を含むべき被写体の検出のために調整された焦点距離を有する少なくとも１つの観察および記録するいわゆる処理カメラ（２１；２１ａ、２１ｂ）を有して、前記処理カメラ（２１；２１ａ、２１ｂ）からのビデオ信号（ＳＶ１）を管理するデジタル管理ユニット（２５）に接続された動的なグラフィックインタフェースを備え、
前記デジタル管理ユニット（２５）は、前記ビデオ信号（ＳＶ１）に対応する第１の画像（３４）を用いる調剤の進行の記憶されたデータと処方箋メモリに記憶された処方箋の調剤のステップとの比較を確立する手段と、前記比較に従って処方箋を選択する手段とを有し、
選択された処方箋の情報が表示手段（２４）に前記デジタル管理ユニットによって送信された画像として表示され、
インデックス作成された調剤の少なくとも１つのステップが選択された処方箋の対応するステップに適合しない場合には、警告手段（２６）を起動することができることを特徴とする信頼できる撮像システム。
【請求項１２】
インデックス作成する手段が固有のインデックス作成（ＥＣ１、ＥＣ２、．．．）を用いて各処方箋に対する特別なステップ、即ちいわゆる重要ステップをインデックス作成するように構成されており、調剤の少なくとも１つのステップ、特に重大なステップに不順守がある場合には前記警告手段（２６）が始動することを特徴とする請求項１１に記載の信頼できる撮像システム。
【請求項１３】
前記動的なグラフィックインタフェースは、前記サイト（１０）の総合的な検出のために調整された焦点距離を有する少なくとも別の観察および記録するいわゆるシーンカメラ（２７）を備え、前記処理カメラ（２１；２１ａ、２１ｂ）および前記シーンカメラ（２７）は同期化されたストリームを有することを特徴とする請求項１１または１２に記載の信頼できる撮像システム。
【請求項１４】
請求項６から１０のいずれか一項に記載の撮影装置と、
被写体位置決め台と、
チャンバー内に配置されている前記被写体位置決め台（４２）を有する医薬調剤製作チャンバーと、
前記チャンバーの透明な窓（４０）に接触して前記チャンバーの外側にある撮影装置（４１）と、を有しており、
前記被写体位置決め台の像が前記システムの前記撮影装置に到達するような位置にあることを特徴とする請求項１１から１３のいずれか一項に記載の信頼できる撮像システム。
【請求項１５】
前記被写体位置決め台は、少なくとも１つのシリンジおよび前記シリンジに流動物を採取される少なくとも１つのバイアルを有しており、前記被写体を支持する平坦なベース（６６）と、前記ベースの後方に立っているスクリーン（６７）と、前記ベースから独立している非係合位置と前記ベースにおける係合位置との間を前記ベースに対して平行移動するように搭載されるシリンジホルダー（６８）と、を備えることを特徴とする請求項１４に記載のシステム。